(57)【要約】【課題】収容室３の温度上昇を抑えて電装部品の性能低下を防止し、良好な燃焼を維持する開放式石油燃焼器を提供すること【解決手段】液体燃料を蓄える固定タンク１と、前記固定タンク１上に載置された枠体２と、前記固定タンク１と枠体２とにより形成され内部に電装部品を収容する収容室３と、前記枠体２に設けられた上部開口８と、予混合管１１と火口１３と炎孔部１２からなるバーナ１０と、前記上部開口８に設けられ前記バーナ１０に二次空気を供給する二次空気通路２０を形成する仕切板９と、前記火口１３に設けられた炎孔部１２を有し、前記仕切板９を介して前記予混合管１１は収容室３の内部に、前記火口１３は収容室３の外部となるように配置した。【選択図】        図１
2004263947.tif 000002
【特許請求の範囲】
【請求項１】
液体燃料を蓄える固定タンクと、前記固定タンク上に載置された枠体と、前記固定タンクと枠体とにより形成され内部に電装部品を収容する収容室と、前記枠体に設けられた上部開口と、予混合管と火口と炎孔部からなるバーナと、前記上部開口に設けられ前記バーナに二次空気を供給する二次空気通路を形成する仕切板を有し、前記仕切板を介して前記予混合管は収容室の内部に、前記火口は収容室の外部となるように配置されていることを特徴とする開放式石油燃焼器。
【請求項２】
前記二次空気通路の吹出口は前記炎孔部より低い位置に開口していることを特徴とする請求項１記載の開放式石油燃焼器。
【請求項３】
前記火口は傾斜面を有した形状であり、前記傾斜面に炎孔部が設けられていることを特徴とする請求項２記載の開放式石油燃焼器。
【発明の詳細な説明】
【０００１】
【発明が属する技術分野】
本発明は、液体燃料を燃焼する開放式石油燃焼器について二次空気を取り入れる構造に関するものである。
【０００２】
【従来の技術】
開放式石油燃焼器は、室内はもとより屋外の風が通るような場所で使用されることが珍しくないため、そのような環境においても安全に使用できる機器であることが要求されている。
【０００３】
そのため、この種の開放式石油燃焼器は図４に示すように、液体燃料を蓄える固定タンク４１と枠体４２で囲まれた収容室４３に、固定タンク４１内の液体燃料を汲み上げる電磁ポンプ４４や、液体燃料を加熱気化する気化器４５や制御基板４６等の電装部品が内装され、また、枠体４２は上部開口４７を有していて、上部開口４７を塞ぐように仕切板４８が設けられており、この仕切板４８によって気化ガスを燃焼するバーナ４９を構成する予混合管５０と火口５１はそれぞれ収容室４３の内部と外部に配置されるようになっている。
【０００４】
このように、収容室４３には制御基板４６等の電装部品が内装されているため、風が吹き付けたりすることで燃焼により発生した高温の燃焼排ガスが収容室４３内に流入して内部温度が異常上昇すると、電装部品の動作に影響を与えたり、さらには熱により損傷して機器の運転が不能になるという不具合が起こる。しかし、上述のように仕切板４８を設けた構成とすることで、仕切板４８が上部開口４７を塞いでいるため、燃焼排ガスが収容室４３に流入しなくなり、内部温度が異常上昇することを防止している。
【０００５】
そして、燃焼に必要な二次空気は図中の矢印で示すように、火口５１を囲むように上部開口４７の周縁に形成された二次空気通路５２から、最も高温となる火炎基部を避けて火炎基部よりも高い位置に供給されるので、ＮＯｘの発生を抑えることができるようになっている。
【０００６】
【特許文献１】
特開平１０−２２７４６０号公報
【０００７】
【発明が解決しようとする課題】
ところが燃焼が継続すると、燃焼火炎近くに設けられている仕切板は加熱されて高温となる。そして、加熱された仕切板は収容室内に熱を放出するため次第に収容室の温度も上昇してしまい、燃焼排ガスが収容室に流入していなくても収容室内の温度は高温となって、結局電装部品の動作に悪影響を及ぼすことになってしまっていた。
【０００８】
そのため、収容室内の温度を低下させるには、加熱された仕切板を冷却する構造が必要となるが、本体外から導入する二次空気は仕切板とは別に設けられた二次空気通路を通って火炎の上部に供給されるため、従来の構造では二次空気により仕切板を冷却することはできなかった。
【０００９】
本発明は上記課題を解決するためのもので、収容室の温度上昇を抑えて電装部品の性能低下を防止し、良好な燃焼を維持する開放式石油燃焼器を提供することを目的とする。
【００１０】
【課題を解決するための手段】
請求項１記載の発明は、液体燃料を蓄える固定タンクと、前記固定タンク上に載置された枠体と、前記固定タンクと枠体とにより形成され内部に電装部品を収容する収容室と、前記枠体に設けられた上部開口と、予混合管と火口と炎孔部からなるバーナと、前記上部開口に設けられ前記バーナに二次空気を供給する二次空気通路を形成する仕切板を有し、前記仕切板を介して前記予混合管は収容室の内部に、前記火口は収容室の外部となるように配置されていることを特徴とする開放式石油燃焼器である。
【００１１】
すなわち、請求項１の発明では、仕切板が燃焼排ガスが収容室に流入するのを防止すると共に、仕切板によって二次空気通路が形成されているので、燃焼により高温となった仕切板に対しては外部から取り込まれた二次空気がすぐさま冷却に用いられることとなり、効果的に仕切板を冷却して収容室の温度上昇を防止する。
【００１２】
請求項２記載の発明は、前記二次空気通路の吹出口は前記炎孔部より低い位置に開口していることを特徴とする請求項１記載の開放式石油燃焼器である。
【００１３】
すなわち、請求項２の発明では、二次空気は最も高温となる基炎部を避けて火炎に供給されるので、仕切板を冷却するとともにＮＯｘの発生も抑えることとなる。
【００１４】
請求項３記載の発明は、前記火口は傾斜面を有した形状であり、前記傾斜面に炎孔部が設けられていることを特徴とする請求項２記載の開放式石油燃焼器である。
【００１５】
すなわち、請求項３の発明では、炎孔部が傾斜面に設けられているので、火炎は横に広がらずに斜め上方に吹き出すこととなり、バーナ周囲の部品が高温にさらされることがないため、部品の耐久性を向上させることができる。
【００１６】
【発明の実施の形態】
以下、本発明の実施例の燃焼器を添付の図面をもとに説明する。
【００１７】
図１は開放式石油燃焼器の断面図であって、液体燃料を蓄える固定タンク１と固定タンク１上に載置された枠体２で囲まれた収容室３に、固定タンク１内の液体燃料を汲み上げる電磁ポンプ４、液体燃料を加熱し気化ガスとする気化器５、制御基板６等の電装部品が内装された構成となっている。さらに枠体２は側面に一次空気を取り入れるための通気口７、上面には上部開口８を有していて、上部開口８を塞ぐように仕切板９が設けられている。
【００１８】
そして図２に示すように、液体燃料を燃焼するバーナ１０は、気化器５により気化された気化ガスと通気口７から取り入れた一次空気を混合して予混合ガスにする予混合管１１と、予混合ガスが噴出する炎孔部１２を有する火口１３と、火口１３内に設けられた筒状の整流板１４から構成されていて、仕切板９を介して予混合管１１と火口１３はそれぞれ収容室３の内部と外部に配置されるようになっている。そして、火口１３は傾斜面を有する略円錐形状をしており、炎孔部１２を形成する網がこの傾斜面上にスポット溶接にて取り付けられている。さらに、火口１３の周囲には着火や燃焼状態を検出するフレームロッド１５、炎孔部１２から噴出する予混合ガスに点火する点火ヒータ１６、保炎板１７が設けられている。
【００１９】
また、仕切板９は図３に示すように、それぞれに曲げを有した円板形状の上板１８と下板１９からなり、上板１８と下板１９の外周はカシメ等の手段を用いて固着されている。そして上板１８と下板１９の間に形成される空間はバーナ１０に燃焼用の二次空気を供給する二次空気通路２０になっていて、上板１８には二次空気を取り入れる二次空気取入口２１が複数設けられており、さらに、フレームロッド１５と点火ヒータ１６が貫通する切欠部２２が設けられている。
【００２０】
また、仕切板９の外周には反射板２３および偏流板２４が設けられていて、反射板２３は側面に外部の空気を本体内に取り入れるための第１流入口２５を有しており、流入口２５から本体内に取り入れられた空気は図１の矢印で示すように、偏流板２４に設けられた第２流入口２６を通って、仕切板９の上板１８に設けられた二次空気取入口２１に流入し、二次空気通路２０を通ってバーナ１０に供給される。そして、二次空気通路２０の吹出口２７は保炎板１７と連通しており、バーナ１０の炎孔部１２より低い位置で開口している。
【００２１】
なお、仕切板９の上板１８に設けられた二次空気取入口２１の位置は全周にわたって均等ではなく、フレームロッド１５および点火ヒータ１６が貫通する切欠部２２の周辺部分には他の部分より多くの二次空気取入口２１が設けられている。これは、点火ヒータ１６の根本を覆っている碍子（図示せず）は熱に弱いため、この部分により多くの二次空気を取り入れて冷却することで熱による碍子の損傷を防ぐようにしているためである。
【００２２】
そして枠体２の上部には、多数の開口が穿設された放熱筒２８、放熱筒２８の上端付近から垂下して設けられ燃焼火炎にさらされて赤熱する赤熱筒２９、空気を撹拌して温風を拡散させるための温風ファン３０が設けられている。
【００２３】
次に上述のように構成された開放式石油燃焼器の動作について説明する。図示しない運転スイッチが操作されると、まず気化器５の加熱が開始される。そして気化器５が液体燃料を加熱気化するのに十分な温度まで上昇すると、電磁ポンプ４が作動して固定タンク１に蓄えられた液体燃料を汲み上げ、汲み上げられた液体燃料が気化器５へ供給される。
【００２４】
気化器５に供給された液体燃料は加熱気化されて気化ガスとなり、予混合管１１へ噴出するが、このとき、周囲の空気も一次空気として予混合管１１へ引き込まれ、気化ガスと一次空気が予混合されて予混合気となる。そして、予混合気は整流板１４を通って火口１３内に流入すると、整流板１４の上端で下向きに折り返され火口１３の傾斜面に設けられた炎孔部１２より噴出して、点火ヒータ１６により点火されて燃焼を開始する。
【００２５】
そして、フレームロッド１５により着火したことが検出されると温風ファン３０が始動する。また、赤熱筒２９は火炎により加熱されて赤熱し、輻射熱を放射するとともに、放熱筒２８から流出する熱気は温風ファン３０からの送風と混合し、温風となって全周方向に拡散する。
【００２６】
このような燃焼器は屋外の風が通るような場所で使用されることが珍しくなく、燃焼中に風を受けた場合にはバーナ１０周囲の隙間から多量の熱気が収容室３内に逆流することがある。すると、収容室３内の温度が上昇し、ここに多数内装される電装部品の動作に悪影響を及ぼしたり、最悪の場合は電装部品が損傷して機器の運転が不能なるといった不具合をもたらしてしまう。そこで、上部開口８を塞ぐように仕切板９を設けることにより、収容室３内に熱気が流入することを防止している。
【００２７】
また、通気口７に埃等が堆積して閉塞したような場合には、通気口７から一次空気を取り入れることが困難となるため、バーナ１０周囲の隙間から空気を取り入れようとして熱気が逆流するが、このときにも仕切板９が熱気の逆流を防止することとなる。
【００２８】
その他、水をかけてしまったり、燃料の給油中に誤って燃料をこぼしてしまった場合にも、仕切板９によって収容室３内部への流入が防止される。
【００２９】
そして、炎孔部１２で形成される火炎に対しては、二次空気通路２０を通って吹出口２７から二次空気が供給されて完全燃焼する。炎孔部１２は火口１３の傾斜面に設けられているため、火炎は横に広がらずに斜め上方に吹き出すこととなり、そのため、バーナ１０の周囲に設けられた保炎板１７と火炎との距離が広くなって、熱による保炎板１７の劣化が抑えられるので耐久性を高くすることとなる。また、火炎の横への広がりが小さくなるので、燃焼器のコンパクト化を図ることが可能となる。
【００３０】
また、火炎からの輻射熱により仕切板９は加熱されてしまうが、二次空気は仕切板９の上板１８と下板１９により形成された二次空気通路２０を通る間に仕切板９を冷却するので、仕切板９が加熱されることで収容室３の温度が上昇してしまい、電装部品の動作に悪影響を与えるのを防止する。さらに、二次空気通路２０の吹出口２７はバーナ１０の炎孔部１２より低い位置で開口しているため、最も高温となる火炎の基炎部に直接二次空気が当たらないので、ＮＯｘが大量に発生してしまう恐れもない。
【００３１】
【発明の効果】
以上に説明したように請求項１の発明によれば、仕切板が燃焼排ガスが収容室に流入するのを防止すると共に、仕切板によって二次空気通路が形成されているので、燃焼により高温となった仕切板に対しては外部から取り込まれた二次空気がすぐさま冷却に用いられることとなり、効果的に仕切板を冷却する。よって、収容室内の温度が異常上昇することを防止し良好な燃焼を維持することができる。
【００３２】
また、請求項２の発明によれば、二次空気は最も高温となる基炎部を避けて火炎に供給されるので、仕切板を冷却するとともにＮＯｘの発生も抑えることとなる。
【００３３】
また、請求項３の発明によれば、炎孔部が傾斜面に設けられているので、火炎は横に広がらずに斜め上方に吹き出すこととなり、バーナ周囲の部品が高温にさらされることがないため、部品の耐久性を向上させることとなり、良好な燃焼を維持することができる。
【図面の簡単な説明】
【図１】本発明の実施例の外観図である。
【図２】本発明の実施例のバーナの断面図である。
【図３】本発明の実施例の仕切板の図である。
【図４】従来例の図である。
【符号の説明】
１    固定タンク
２    枠体
３    収容室
８    上部開口
１１  予混合管
１３  火口
１２  炎孔部
１０  バーナ
２０  二次空気通路
９    仕切板
【図１】
2004263947.tif 000003
【図２】
2004263947.tif 000004
【図３】
2004263947.tif 000005
【図４】
2004263947.tif 000006